(57)【要約】  中央が開口した枠状のフレーム（２）の内側にファンを備え、壁面の換気扇取付穴に設置された木枠に枠状のフレーム（２）が挿入された状態で固定される換気扇であって、枠状のフレーム（２）は、木枠に挿入される筒部（２ａ）と、筒部（２ａ）の室内側の端部から壁面の室内側に沿うように張り出したフランジ部（６０）とを有し、フランジ部（６０）は、木枠との当接面（６０ａ）に垂直なねじ固定用穴（２０ａ，３０ａ，４０ａ，５０ａ）と、当接面に対して傾きを有する複数の斜めねじ打ち案内穴（２０ｂ，３０ｂ，４０ｂ，５０ｂ）とを備え、複数の斜めねじ打ち案内穴（２０ｂ，３０ｂ，４０ｂ，５０ｂ）は、少なくともフランジ部（６０）の対向する二辺に配置されている。
2017149669.tif 000002
【特許請求の範囲】
【請求項１】
中央が開口した枠状のフレームの内側にファンを備え、壁面の換気扇取付穴に設置された木枠に前記枠状のフレームが挿入された状態で固定される換気扇であって、
前記枠状のフレームは、前記木枠に挿入される筒部と、該筒部の室内側の端部から前記壁面の室内側に沿うように張り出したフランジ部とを有し、
前記フランジ部は、前記木枠との当接面に垂直なねじ固定用穴と、前記当接面に対して傾きを有する複数の斜めねじ打ち案内穴とを備え、
複数の前記斜めねじ打ち案内穴は、少なくとも前記フランジ部の対向する二辺に配置されていることを特徴とする換気扇。
【請求項２】
前記枠状のフレームは、樹脂製であることを特徴とする請求項１に記載の換気扇。
【請求項３】
前記斜めねじ打ち案内穴は、角穴であることを特徴とする請求項１に記載の換気扇。
【請求項４】
前記斜めねじ打ち案内穴は、丸穴であることを特徴とする請求項１に記載の換気扇。
【請求項５】
複数の前記斜めねじ打ち案内穴が前記フランジ部の上下の二辺に設けられたことを特徴とする請求項１から４のいずれか１項に記載の換気扇。
【請求項６】
複数の前記斜めねじ打ち案内穴が前記フランジ部の左右の二辺に設けられたことを特徴とする請求項１から４のいずれか１項に記載の換気扇。
【請求項７】
複数の前記斜めねじ打ち案内穴が前記フランジ部の上下左右の四辺に設けられたことを特徴とする請求項１から４のいずれか１項に記載の換気扇。
【発明の詳細な説明】
【技術分野】
【０００１】
本発明は、屋内空気を吸い込んで屋外へ排気するか又は屋外空気を吸い込んで屋内へ給気する換気扇に関する。
【背景技術】
【０００２】
従来、建物の壁又は天井に設けた換気口に取り付けて用いられる換気扇がある。特許文献１には、枠状のフレームと、電動機と、オリフィスと、ファンと、シャッターを備え、換気口に取り付けて用いられる換気扇が開示されている。
【先行技術文献】
【特許文献】
【０００３】
【特許文献１】特開２０００−３０４３１８号公報
【発明の概要】
【発明が解決しようとする課題】
【０００４】
上記従来の技術によれば、取付ボルトによって換気扇は簡易固定されているが、高所への取り付けの際は地震時の落下などを懸念し、換気扇の枠状のフレームから室内側壁面に向けて沿うように形成されたフランジ部に設けられたねじ固定用穴を用いて、木ねじによって固定される。木ねじによる固定では、換気扇の枠状のフレームよりも若干大きな木枠を現地で手配する必要があり、また枠状のフレームよりも内寸法が規格で定められた範囲内で大きい木枠を施工業者又はエンドユーザが作成しなければならない。規格で定められた木枠の内寸法の範囲とは、一般的には、フレームよりも１ｍｍから５ｍｍ程度大きい範囲である。【０００５】
木枠が大きすぎれば、換気扇の枠状のフレームのフランジ部に設けられたねじ固定用穴から木枠が外れてしまい、木ねじが打ち込めず、やむを得ず片側に寄せて取り付けるなどの不安全な固定となる。または、木枠を作り直したり、木枠とフレームとの間の隙間を埋めたりするなどの対応が必要であり手間が発生する。【０００６】
本発明は、上記に鑑みてなされたものであって、木枠の再作成の手間が発生することがなく、容易に固定可能な換気扇を得ることを目的とする。
【課題を解決するための手段】
【０００７】
上述した課題を解決し、目的を達成するために、本発明は、中央が開口した枠状のフレームの内側にファンを備え、壁面の換気扇取付穴に設置された木枠に枠状のフレームが挿入された状態で固定される換気扇である。枠状のフレームは、木枠に挿入される筒部と、筒部の室内側の端部から壁面の室内側に沿うように張り出したフランジ部とを有し、フランジ部は、木枠との当接面に垂直なねじ固定用穴と、当接面に対して傾きを有する複数の斜めねじ打ち案内穴とを備える。複数の斜めねじ打ち案内穴は、少なくともフランジ部の対向する二辺に配置されている。
【発明の効果】
【０００８】
本発明に係る換気扇は、木枠の再作成の手間が発生することがなく、容易に固定可能であるという効果を奏する。
【図面の簡単な説明】
【０００９】
【図１】本発明の実施の形態１に係る換気扇の設置状態における分解斜視図
【図２】実施の形態１に係る換気扇の枠状のフレームの斜視図
【図３】実施の形態１に係る換気扇の斜めねじ打ち案内穴付近の拡大斜視図
【図４】実施の形態１に係る換気扇の斜めねじ打ち案内穴の部分の断面図
【図５】本発明の実施の形態２に係る換気扇の斜めねじ打ち案内穴付近の拡大斜視図
【発明を実施するための形態】
【００１０】
以下に、本発明の実施の形態に係る換気扇を図面に基づいて詳細に説明する。なお、この実施の形態によりこの発明が限定されるものではない。
【００１１】
実施の形態１．
図１は、本発明の実施の形態１に係る換気扇の設置状態における分解斜視図である。図１に示すように、換気扇１は、中央が開口した枠状のフレーム２と、枠状のフレーム２の内部に固定された電動機３とを備える。換気扇１は、枠状のフレーム２にオリフィス４が設けられ、オリフィス４には油受け５が取り付けられる。枠状のフレーム２の内部には電動機３が設けられ、電動機３のシャフト６にファン７が取り付けられ、ファン７の中央部にスピンナー８が取り付けられる。すなわち、ファン７は、枠状のフレーム２の内側に設置される。
【００１２】
換気扇１は、建物の壁面に形成された換気扇取付穴１０に挿入された木枠１１などに固定され、ファン７を回転駆動させることにより、室内側の空気と、室外側の空気との間に空気の流れを形成し、室内を換気する。すなわち、換気扇１は、木枠１１が設置された壁面の換気扇取付穴１０に枠状のフレーム２が挿入された状態で固定される。
【００１３】
枠状のフレーム２は、換気扇１全体を支持する強度を有し、樹脂で矩形状に形成されたものである。枠状のフレーム２は、室内側と室外側とが開口している。なお、枠状のフレーム２は、上記説明の形状に限定するものではなく、例えば形状は円形状であってもよく、材質は金属鋼板で形成されているものであってもよい。枠状のフレーム２を樹脂製とすることにより、型を用いての量産が可能となり、製造コストを低減できる。
【００１４】
枠状のフレーム２の室内側、すなわち空気の流入側には、オリフィス４が着脱自在に設けられる。オリフィス４は、枠状のフレーム２とファン７との隙間を塞いで、室内の空気をファン７に導く風洞の働きをする。なお、オリフィス４は、合成樹脂又は金属で形成されており、フィルター又はメッシュガードが取り付けられているものもあるが、図１においてはフィルター又はメッシュガードの図示を省略する。
【００１５】
オリフィス４には、油受け５が着脱自在に取り付けられる。油受け５は、換気扇１が台所に据付けられた際に、調理時に排出する油煙に含まれた油がオリフィス４に付着し、オリフィス４を伝い流下した油を捕集する機能を有する。その内部に溜まった油を捨てる際は、オリフィス４から油受け５を取り外すことで容易に捨てることができる。なお、油受け５は、オリフィス４と一体であってもよい。
【００１６】
枠状のフレーム２の室外側には、室外側開口を開閉する複数のシャッター板９が設けられている。シャッター板９は、樹脂で形成されている。シャッター板９は、ファン７が発生させる換気流の風圧によって、上下へ回動し、横向きとなることで風路を開き、ファン７が停止すると自重により下方へ回動して下向きとなり風路を閉じる。シャッター板９が風路を閉じることにより、換気扇１の停止時には室内外の空気の移動が抑制されるため、室内温度を安定させることができる。
【００１７】
電動機３は、電動機３に設けられたシャフト６を回転させることにより、シャフト６に取り付けられたファン７を回転駆動させる。ファン７は、シャフト６にスピンナー８が着脱自在に嵌め込まれており、換気扇１が固定された状態において、枠状のフレーム２の室内側の空気と、室外側の空気とを換気する。
【００１８】
図２は、実施の形態１に係る換気扇の枠状のフレームの斜視図である。図２に示すように、枠状のフレーム２は、木枠１１に挿入される筒部２ａを有する。筒部２ａの室内側の端部には、室内側壁面に沿うように、上側縁部には上フランジ部２０が設けられており、左側縁部には左フランジ部３０が設けられており、右側縁部には右フランジ部４０が設けられており、フランジ下側縁部には下フランジ部５０が設けられている。以下、上フランジ部２０、左フランジ部３０、右フランジ部４０及び下フランジ部５０を総称するときはフランジ部６０という。筒部２ａとフランジ部６０とは一体成形されている。フランジ部６０は、換気扇取付穴１０よりも外形が大きくなっているため、筒部２ａを木枠１１に挿入した際には、筒部２ａから立ち上がる面は木枠１１に当接する。以下、フランジ部６０の筒部２ａから立ち上がる面を当接面６０ａという。
【００１９】
上フランジ部２０には、換気扇１を固定するためのねじ固定用穴２０ａと斜めねじ打ち案内穴２０ｂとが設けられている。左フランジ部３０には、換気扇１を固定するためのねじ固定用穴３０ａと斜めねじ打ち案内穴３０ｂとが設けられている。右フランジ部４０には、換気扇１を固定するためのねじ固定用穴４０ａと斜めねじ打ち案内穴４０ｂとが設けられている。下フランジ部５０には、換気扇１を固定するためのねじ固定用穴５０ａと斜めねじ打ち案内穴５０ｂとが設けられている。ねじ固定用穴２０ａ，３０ａ，４０ａ，５０ａは、当接面６０ａに垂直であり、斜めねじ打ち案内穴２０ｂ，３０ｂ，４０ｂ，５０ｂは、木枠１１との当接面６０ａに対して傾きを有する。
【００２０】
次に、換気扇１の木枠１１への固定方法について説明する。作成した木枠１１を建物の壁面などに形成された換気扇取付穴１０に対して挿入し、換気扇取付穴１０と木枠１１との隙間をコーキング剤で埋めて固定する。換気扇取付穴１０に固定した木枠１１に、室内側から枠状のフレーム２を挿入する。
【００２１】
木枠１１は、板厚が２０ｍｍから３０ｍｍ程度であり、木枠内寸法は、枠状のフレーム２の外形寸法よりも１ｍｍから５ｍｍ程度大きい範囲で、施工業者又はエンドユーザによって現地で作成される。そのため、枠状のフレーム２を木枠１１に挿入するだけでは、換気扇１を壁面に固定することはできない。
【００２２】
したがって、換気扇１を固定するために、換気扇１の枠状のフレーム２の上下左右の縁部から室内側壁面に向けて沿うように形成されたフランジ部６０に設けられたねじ固定用穴２０ａ，３０ａ，４０ａ，５０ａにより木ねじを木枠１１に打ち込む。
【００２３】
取付説明書又は取扱説明書に記載の推奨寸法通りに作成された木枠１１に換気扇１を固定する場合は、ねじ固定用穴２０ａ，３０ａ，４０ａ，５０ａから木枠１１に木ねじを打ち込むことで強固に当接させることができ、換気扇１を固定することができる。
【００２４】
一方、作業現場にて作成された木枠１１が推奨寸法通りに作成されておらず、ねじ固定用穴２０ａ，３０ａ，４０ａ，５０ａから木枠１１が外れてしまい、木ねじを打ち込めない場合であっても、斜めねじ打ち案内穴２０ｂ，３０ｂ，４０ｂ，５０ｂを用いることで、片側に寄せて換気扇１を取り付けたり、木枠１１を再作成したり、木枠１１と換気扇１との隙間を埋めたりするといった対応が不要となる。すなわち、木枠１１が推奨寸法通りに作成されていなくても、斜めねじ内案内穴２０ｂ，３０ｂ，４０ｂ，５０ｂを用いることで、換気扇１を容易に固定できる。
【００２５】
図３は、実施の形態１に係る換気扇の斜めねじ打ち案内穴付近の拡大斜視図である。図４は、実施の形態１に係る換気扇の斜めねじ打ち案内穴の部分の断面図である。なお、ここでは斜めねじ打ち案内穴３０ｂについて説明するが、斜めねじ打ち案内穴２０ｂ，４０ｂ，５０ｂについても同様である。図３に示すように、斜めねじ打ち案内穴３０ｂは、角穴となっている。斜めねじ打ち案内穴３０ｂを角穴とすることで、枠状のフレーム２の作成用の金型の構造が複雑とならず金型作成のコストの低減を図ることができる。また、斜めねじ打ち案内穴３０ｂのねじ打ち角度θを大きくとることで、木枠１１へ木ねじを打ち込む際のガイドを長くでき、より容易にねじ打ちを行える。さらに、木枠１１との許容隙間幅Ｌを広げることが可能となる。ここで、ねじ打ち角度θは、斜めねじ打ち案内穴３０ｂの当接面６０ａに対する傾きであり、ねじ打ち角度θが大きくなるほど木ねじが木枠１１に対して傾斜した状態でねじ込まれることとなる。
【００２６】
このように、実施の形態１によれば、斜めねじ打ち案内穴２０ｂ，３０ｂ，４０ｂ，５０ｂを用いることで、片側に寄せて換気扇１を取り付けたり、木枠１１を再作成したり、木枠１１と換気扇１との隙間を埋めたりするといった対応が不要となる。
【００２７】
実施の形態２．
図５は、本発明の実施の形態２に係る換気扇の斜めねじ打ち案内穴付近の拡大斜視図である。実施の形態２においては、斜めねじ打ち案内穴３０ｂは、丸穴となっている。斜めねじ打ち案内穴３０ｂを丸穴とすると、枠状のフレーム２の作成のための金型の構造は、スライドなどの追加によって幾分複雑となるが、木枠１１に木ねじを打ち込む際に、木ねじと斜めねじ打ち案内穴３０ｂとの接触面積が増加するため、木ねじの打ち込みが容易となる。
【００２８】
斜めねじ打ち案内穴３０ｂについて説明したが、斜めねじ打ち案内穴２０ｂ，４０ｂ，５０ｂについても同様である。
【００２９】
斜めねじ打ち案内穴２０ｂ，３０ｂ，４０ｂ，５０ｂ以外の部分は、実施の形態１と同様であるため、説明は省略する。
【００３０】
上記実施の形態１，２においては、上フランジ部２０、左フランジ部３０、右フランジ部４０及び下フランジ部５０に斜めねじ打ち案内穴２０ｂ，３０ｂ，４０ｂ，５０ｂが設けられていたが、上下の斜めねじ打ち案内穴２０ｂ，５０ｂのみ設けてもよいし、左右の斜めねじ打ち案内穴３０ｂ，４０ｂのみ設けてもよい。すなわち、フランジ部６０の上下の二辺に斜めねじ打ち案内穴２０ｂ，５０ｂを設けてもよいし、フランジ部６０の左右の二辺に斜めねじ打ち案内穴３０ｂ，４０ｂを設けてもよい。フランジ部６０の上下の二辺にあたる上フランジ部２０及び下フランジ部５０に斜めねじ打ち案内穴２０ｂ，５０ｂを設けることで、木枠１１が縦方向に大きくなった場合でも、換気扇１を木枠１１の中央に確実に固定できる。
【００３１】
また、上記実施の形態１，２においては、上フランジ部２０、左フランジ部３０、右フランジ部４０及び下フランジ部５０に斜めねじ打ち案内穴２０ｂ，３０ｂ，４０ｂ，５０ｂが一つずつ設けられていたが、上フランジ部２０、左フランジ部３０、右フランジ部４０及び下フランジ部５０に、斜めねじ打ち案内穴２０ｂ，３０ｂ，４０ｂ，５０ｂを複数個ずつ設けてもよい。また、フランジ部６０の対角上に斜めねじ打ち案内穴を設けてもよい。
【００３２】
また、上記実施の形態１，２においては、ファン７による換気流の風圧の有無によりシャッター板９が開閉する構造であったが、連結棒により開閉装置に接続され、開閉装置により手動又は自動で開閉される構造であっても良い。また、シャッター板９は樹脂以外の材料製とすることができる。シャッター板９は鋼板製とすることができるが、これに限定されない。また、シャッター板９が１枚の構造であっても良い。
【００３３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３４】
１  換気扇、２  枠状のフレーム、３  電動機、４  オリフィス、５  油受け、６  シャフト、７  ファン、８  スピンナー、９  シャッター板、１０  換気扇取付穴、１１  木枠、２０  上フランジ部、２０ａ，３０ａ，４０ａ，５０ａ  ねじ固定用穴、２０ｂ，３０ｂ，４０ｂ，５０ｂ  斜めねじ打ち案内穴、３０  左フランジ部、４０  右フランジ部、５０  下フランジ部、６０  フランジ部。
【図１】
2017149669.tif 000003
【図２】
2017149669.tif 000004
【図３】
2017149669.tif 000005
【図４】
2017149669.tif 000006
【図５】
2017149669.tif 000007
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
中央が開口した枠状のフレームの内側にファンを備え、壁面の換気扇取付穴に設置された木枠に前記枠状のフレームが挿入された状態で固定される換気扇であって、
前記枠状のフレームは、前記木枠に挿入される筒部と、該筒部の室内側の端部から前記壁面の室内側に沿うように張り出したフランジ部とを有し、
前記フランジ部は、前記木枠との当接面に垂直なねじ固定用穴と、前記当接面に対して傾きを有する複数の斜めねじ打ち案内穴と、前記斜めねじ打ち案内穴に垂直な座面とを備え、
前記斜めねじ打ち案内穴は、前記当接面に垂直な方向に沿って前記フランジ部を貫通する部分を備え、
複数の前記斜めねじ打ち案内穴は、少なくとも前記フランジ部の対向する二辺に配置されていることを特徴とする換気扇。
【請求項２】
前記枠状のフレームは、樹脂製であることを特徴とする請求項１に記載の換気扇。
【請求項３】
前記斜めねじ打ち案内穴は、角穴であることを特徴とする請求項１に記載の換気扇。
【請求項４】
前記斜めねじ打ち案内穴は、丸穴であることを特徴とする請求項１に記載の換気扇。
【請求項５】
複数の前記斜めねじ打ち案内穴が前記フランジ部の上下の二辺に設けられたことを特徴とする請求項１から４のいずれか１項に記載の換気扇。
【請求項６】
複数の前記斜めねじ打ち案内穴が前記フランジ部の左右の二辺に設けられたことを特徴とする請求項１から４のいずれか１項に記載の換気扇。
【請求項７】
複数の前記斜めねじ打ち案内穴が前記フランジ部の上下左右の四辺に設けられたことを特徴とする請求項１から４のいずれか１項に記載の換気扇。
【手続補正２】
【補正対象書類名】明細書
【補正対象項目名】００２４
【補正方法】変更
【補正の内容】
【００２４】
一方、作業現場にて作成された木枠１１が推奨寸法通りに作成されておらず、ねじ固定用穴２０ａ，３０ａ，４０ａ，５０ａから木枠１１が外れてしまい、木ねじを打ち込めない場合であっても、斜めねじ打ち案内穴２０ｂ，３０ｂ，４０ｂ，５０ｂを用いることで、片側に寄せて換気扇１を取り付けたり、木枠１１を再作成したり、木枠１１と換気扇１との隙間を埋めたりするといった対応が不要となる。すなわち、木枠１１が推奨寸法通りに作成されていなくても、斜めねじ打ち案内穴２０ｂ，３０ｂ，４０ｂ，５０ｂを用いることで、換気扇１を容易に固定できる。
【国際調査報告】
2017149669.tif 000008
2017149669.tif 000009
2017149669.tif 000010
2017149669.tif 000011